(57)【特許請求の範囲】
【請求項１】
一側壁にヒューエルフィラドアのヒンジ部品が組付く第１固定部を有し、それと反対側の他側壁にヒューエルドアのオープナーが組付く第２固定部を有するヒューエルフィラネックブラケットのドア開口部を、当該ヒューエルフィラネックブラケットが組付いているサイドパネルの外面に沿って覆う検具本体と、
前記検具本体の一側部に設けられ、前記第１固定部に取付可能な第１取付座と、
前記検具本体の他側部に設けられ、前記第２固定部に取付可能な第２取付座とを備え、
前記第１取付座が、前記ヒューエルフィラドアのヒンジ部品と同じヒンジ位置を回動支点として、前記検具本体に対して回動可能に組付けられ、
前記ヒューエルフィラネックブラケットのドア開口部を覆う前記検具本体の姿勢が、前記第１取付座の位置を基準に変えられるようにした
ことを特徴とするヒューエルフィラドア開口部用検査治具。
【発明の詳細な説明】
【０００１】
【発明の属する技術分野】
本発明は、サイドパネルに組付くヒューエルフィラネックブラケットのドア開口部の精度を確認するのに用いられるヒューエルフィラドア開口部用検査治具に関する。
【０００２】
【従来の技術】
自動車の組立工場では、ラインの立上り時、組付けを終えた車体の各部を検査することが行われている。
【０００３】
この検査には、図７に示されるようにサイドパネル１に組付けられたヒューエルフィラネックブラケット２のドア開口部３の精度を、ドア開口部３に組付くヒューエルフィラドア４との関係を見ながら確認する検査がある（ブラケット部品の組付け精度が溶接接合などの影響を受けるため）。
【０００４】
このドア開口部３の検査は、ヒューエルフィラドア４とほぼ同形、例えば四隅のコーナー部の外周形状だけが同じ形状をなした枠形の検具本体をもつ専用の検査治具（図示しない）を用いて行う。この検査は、検査治具をドア開口部に組合わせて、ヒューエルフィラブラケット２のヒンジ側の位置Ｘとその反対側のオープナー側の位置Ｙとを基準として、検査治具の外周縁とドア開口部３の開口縁との間における隙間の量や同部分における段差の具合を測定したり、ヒンジ側の位置Ｘを基準に、検査治具の外周部の一部をサイドパネル１の外面に合わせる（段差：ゼロ）という、外形基準で、他の部分の隙間量や段差の具合などを測定したりする。そして、測定情報から建付け具合を評価して、精度不良が見られると、ヒューエルフィラネックブラケット２やヒューエルフィラドア４などの組付け位置の調整、各部品の成形などの修正を行う指示を与える。
【０００５】
従来、この検査に用いられる検査治具は、ヒューエルフィラドア４の外縁形状に似せた枠形の検具本体の一側部に、ヒンジ用の取付座（ヒューエルフィラネックブラケット２の一側壁に有るヒンジ部品４ａ組付用の固定部６と組合う座）を一体に形成し、他側部にオープナー用の取付座（反対側の他側壁に有るオープナー組付用の固定部と組合う座）を一体に形成した構造が用いられている。
【０００６】
詳しくは、ヒンジの取付座には、ヒンジ部品４ａ組付用の固定部６に有る通孔と合致する通孔が形成され、オープナー用の取付座には、オープナー組付用の固定部７に有る通孔と合致する通孔が形成してある。これによって、ヒューエルフィラドア４のヒンジ部品４ａとオープナー５とが組付く２つの地点Ｘ，Ｙを基準にドア開口部３を検査するときは、検査治具をドア開口部３にセット、すなわち位置決めボルトを用いてヒンジ用の取付座をヒューエルフィラネックブラケットの一側壁に有るヒンジ部品組付用の固定部６に締結して、ヒューエルフィラネックブラケット２のドア開口部３に検具本体を配置してから、位置決めピンをオープナー用の取付座の通孔からヒューエルフィラネックブラケットの他側壁に有るオープナー用の固定部の通孔へ差し込む。そして、ヒンジ側が組付く位置Ｘとその反対のオープナー側が組付く位置Ｙとの双方を基準として、建付けた検具本体の姿勢をもとに、検具本体の外周縁とドア開口部３の開口縁との隙間量や同部分における段差の具合を測定する。またこの際、オープナー用の固定部の位置（通孔位置）が正規位置と異なるときは、オープナー用取付座を位置決めピンで固定せずにフリーにして、検具本体の自由端側の外周部の一部がサイドパネルの外面と面一（段差：ゼロ）になるよう位置合わせて、その位置合わせした部分の外形を基準に隙間量や段差を測定して、どの地点で違いがあるのかを検査する。また位置Ｘと位置Ｙとを基準に検査する場合でも、検具本体の外周一部で凹凸が生じているようなときは、検具本体をその部分の外形を基準とした姿勢に変えて、どの地点で異なるのかを測定して、ドア開口部３がどのような精度にあるのかの傾向を細部に渡り検査している。
【０００７】
【発明が解決しようとする課題】
検査治具で外形基準に測定を行うときは、検具本体の外周一部をサイドパネルの外面に面一させるが、ヒンジ側の取付座は、検査治具に対して一体な不動の状態で組付けてあるから、このときの力がヒューエルフィラネックブラケットの一側壁に集中して加わって、ヒンジ側の基準位置を微妙に傾斜させてしまうことがある。
【０００８】
ところが、検査治具の姿勢は、基準位置に左右される。
【０００９】
このため、外形基準の測定により測定精度不良が発生することがわかっても、基準位置が変動してしまうことで、精度不良の発生要因は、ドア組付用の固定部にあるのか、ドア開口部の隙間量や段差にあるのかの判断が困難になることがあった。
【００１０】
本発明は上記事情に着目してなされたもので、その目的とするところは、容易に精度不良の発生要因となる箇所の判断が行えるヒューエルフィラドア開口部用検査治具を提供することにある。
【００１１】
【課題を解決するための手段】
上記目的を達成するために請求項１に記載のヒューエルフィラドア開口部用検査治具は、ヒューエルフィラネックブラケットのヒンジ部品用の第１固定部と組合う第１取付座を、ヒューエルフィラドアのヒンジ部品と同じヒンジ位置を回動支点として、検具本体に対し回動可能に取付けて、ヒューエルフィラネックブラケットのドア開口部を覆う検具本体の姿勢が、第１取付座の位置を基準に変えられるようにした。
【００１２】
これにより、ヒューエルフィラドアのヒンジ部品が組付く位置とオープナーが組付く位置との２つの地点を基準にヒューエルフィラドアの建付け具合を検査するときは、第１取付座をヒューエルフィラネックブラケットの一側壁に有るヒンジ部品組付用の第１固定部に固定してから、第１取付座の回動支点を支点に検具本体を回動変位させて、第２取付座をヒューエルフィラネックブラケットの他側壁に有るオープナー用の第２固定部と合致する地点に導き、同地点に固定する。
【００１３】
ここで、第１取付座の回動支点は、実際のヒューエルフィラドアのヒンジ部品のヒンジ位置を再現しているので、検査治具は、実際にヒューエルフィラドアを取付けたときと同じ状態にドア開口部にセットされる。
【００１４】
この状態から、ドア周辺の隙間量や段差を測定して、ドア開口部がどのような精度にあるのかを検査すればよい。
【００１５】
またオープナー用の第２取付座がオープナー用の第２固定部と合わないような場合や、上記の２つに位置を基準に検査の際に検具本体の外周一部で凹凸状に出入りする部分が生じているような場合ときは、第２取付座を固定せずにフリーにし、検具本体を第２取付座の回動支点を支点に回動変位させて、検査しようとする検具本体の自由端側の外形部分の一部がサイドパネルの外面と面一（段差：ゼロ）がとなる姿勢に変えて、その合わせした部分の外形を基準に各部（含む隙間量、段差）を測定して、どの地点で違いがあるのかを見つけて、ドア開口部がどのような精度にあるのかの傾向を細部に渡り検査すればよい。
【００１６】
このときの検具本体の姿勢の変更は、第１取付座の回動支点回りの変位で、第１固定部へ加わる曲げ方向の力を逃がして行われるから、基準位置の変動は抑えられる。
【００１７】
したがって、いずれの検査の仕方でも、フューエルフィラネックブラケットのヒンジ部品が組付く基準位置の変化は避けられるから、高い精度で精度不良の良否の判断が行え、測定した情報から容易に精度不良の発生要因の箇所が見つけられるようになる。
【００１８】
【発明の実施の形態】
以下、本発明を図１ないし図６に示す一実施形態にもとづいて説明する。
【００１９】
図１中１０は車体の外板を形成するサイドパネル、１１は同サイドパネル１０に形成された矩形の開口部分に組付けられたヒューエルフィラネックブラケットである。
【００２０】
ヒューエルフィラネックブラケット１１の開口縁は、サイドパネル１０の矩形の開口部分に取着されている。この取着によって、ヒューエルフィラネックブラケット１１を、底側がサイドパネル１０の内側へ突き出るように取付けている。そして、このサイドパネル１０の外面に臨む先端部分で、図７に示すヒューエルフィラドア４が収まる矩形のドア開口部１２を形成している。このヒューエルフィラネックブラケット１１の底壁にヒューエルフィラ（図示しない）の入口１４が接続してある。
【００２１】
ヒューエルフィラネックブラケット１１の車体前後方向の一側壁、例えば左側壁の中段には、図４にも示されるように上下一対の小孔１５ａ（一方しか図せず）と同小孔１５の後側に並ぶナット１５ａとが設けられていて、同部分に図７に示すようにヒューエルフィラドア４のヒンジ部品４ａが組付くヒンジ用の固定部１６（第１固定部に相当）を形成している。また反対側の他側壁、例えば右側壁の中段には、通孔１６が形成されていて、同分部に図７に示すようにオープナー５が組付くオープナー用の固定部１８（第２固定部に相当）を形成している。
【００２２】
一方、図中２０は、ドア開口部１２の精度を確認するために用いるヒューエルフィラドア開口部用検査治具（以下、単に治具という）である。治具２０の本体２０ａ（検具本体に相当）は、例えば帯板を枠形に折り曲げたフレーム２１を心材として、このフレーム２１の少なくとも４隅のコーナー部、例えばヒンジ側の上下のコーナー部分と、オープナー側の上下コーナー部分を含む辺部分とのそれぞれに、樹脂部材で、図７に示すヒューエルフィラドア４の外周形状と同じ形状の成形部分２２ａ〜２２ｃを形成した構造が用いられている。これにより、本体２０ａは、ドア開口部１２に収まる外形にしてある。
【００２３】
この本体２０ａの他側部となる、オープナー側に配置されている成形部分２２ｃの中段部分には、図２にも示されるようにドア開口部１２内へ向って突き出る山形状の膨出部２３が形成されている。この膨出部２３には、横向きの通孔２３が形成されている。同通孔２３は、本体２０ａがドア開口部１２に収まると、ヒューエルフィラネックブラケット１１の通孔１７と直列に並ぶ地点に形成されている。これで、本体２０ａの他側部に、オープナー側の据付座２４（第２取付座に相当）を形成している。また通孔２３ａは、通孔１６より外径が大きく形成されていて、内側から位置決めピン２５が挿入される構造となっている。この位置決めピン２５の先端部には、通孔２３ａに嵌まる小径の小径部２５ａが形成されていて、通孔２３ａから並んだ通孔１７へ位置決めピン２５を差し込むと、オープナー用の据付座２４がオープナー側の固定部１８に取付くようにようにしてある。
【００２４】
また本体２０ａの一側部となる、ヒンジ側の成形部分２２ａ，２２ｂ間から露出しているフレーム部分２１には、図２にも示されるように樹脂部材より成形された支持台部２６が形成されている。この支持台部２６には、ヒューエルフィラドア４のヒンジ位置をなす回動軸線と同じ位置に同じ姿勢（縦向き）で回動軸２７が挿通されている。そして、支持台部２６の上下端から突き出た回動軸２７の端部には、ヒューエルフィラドア４で用いたヒンジ部品４ａと同じ形状をなした疑似ヒンジ部品２８（第１取付座に相当）が、同じ取付け姿勢で、横方向に回動自在に支持されている。具体的には、疑似ヒンジ部品２８の根元側には、回動軸２７の両端部に支持されるコ字形をなした支持部２８ａが形成されていて、この支持構造により、ヒューエルフィラドア４のヒンジ部品４と同じヒンジ位置を再現して、疑似ヒンジ部品２８は本体２０ａに取付けてある。これで、本体２０ａの一側部が、ヒューエルフィラネックブラケット２に有る固定部１６と組合う構造にしてある。なお、疑似ヒンジ部品２８のうち、ヒューエルフィラネックブラケット１１の固定部１６と重なる座部分２８ｂには、一対のナット１５ｂと組合う小孔２９が形成されていて、疑似ヒンジ部品２８は、ヒューエルフィラドア４を固定するときと同様、座部分２８ｂを固定部１６に位置決めてから、位置決めボルト３０を各小孔２９からナット１５ｂへねじ込めば、同地点に締結される構造にしてある。
【００２５】
このように構成された治具２０により、本体２０ａでドア開口部１２をサイドパネル１０の外面沿いに覆うようセットすることで、基準位置が変らずに、ドア開口部１２の検査が行えるようにしている。
【００２６】
すなわち、今、図７に示すヒューエルフィラドア４のヒンジ部品４ａが組付く位置Ｘとオープナー５が組付く位置Ｙとの２つの地点を基準にヒューエルフィラドア４の建付け具合を検査するとする。
【００２７】
このときは、例えば図３および図４に示されるように、まず、位置決めボルト３０で疑似ヒンジ部品２８をヒューエルフィラネックブラケット２の左側壁に有るナット１５ｂにねじ止めする。これで、疑似ヒンジ部品２８は、実際のヒューエルフィラドア４のときと同じようにヒンジ部品組付用の固定部１６に締結される。ついで、本体２０ａを、疑似ヒンジ部品２８の回動軸２７を支点とした回動操作で、ドア開口部１２に収めながら、疑似ヒンジ部品２８と反対側に有るオープナー側の据付座２４を、ヒューエルフィラネックブラケット２の右側壁に有る通孔１７に合致させる。そして、図４に示されるように位置決めピン２５を据付座２４の通孔２３から通孔１７へ差込み、オープナー用の固定部１８に固定する。これにより、本体２０ａは、図３、図４および図５に示されるようにサイドパネル１０の外面にならうようドア開口部１２内に収められる。
【００２８】
ここで、疑似ヒンジ部品２８は、実際のヒューエルフィラドア４のヒンジ部品４ａのヒンジ位置を再現しているから、治具２０は、実際にヒューエルフィラドア４を装着したときと全く同じ状態で、ドア開口部１２にセットされる。つまり、治具２０は、ヒューエルフィラドア４のマスターとなってドア開口部１２にセットされる。
【００２９】
この固定された治具２０の状態から、図４に示されるようにドア周辺、すなわちドア開口部１２の開口端と本体２０ａの外周縁との間に形成される部分、特に精度度不良が発生しやすい部位の隙間量α、段差量βなどを測定して、サイドパネル１０とヒューエルフィラネックブラケット１１とのアッセンブリで形成されるドア開口部１２がどのような精度にあるのかを検査すれば、ヒューエルフィラドア４のヒンジ部品４ａが組付く位置Ｘとオープナー５が組付く位置Ｙとの２つの地点を基準としたヒューエルフィラドア４の建付け具合がわかる。
【００３０】
またワークが正規で品質でないためにオープナー用の据付座２４がオープナー用の固定部１８に合わないような場合や、先に述べた２つに位置Ｘ，Ｙを基準とした検査の際に本体２０ａの外周一部において凹凸状に出入りする部分が生じているような場合ときは、図６に示されるようにオープナー用の据付座２４は固定せずにフリーにし、本体２０ａを疑似ヒンジ部品２８の回動支点を支点に回動変位させて、実車におけるヒューエルフィラドア４の建付基準となる位置でサイドパネル１０の外面と面一（段差：ゼロ）となる姿勢に変えたり、検査しようとする本体２０ａの自由端側の外形部分の一部をサイドパネル１０の外面と面一（段差：ゼロとなる姿勢に変えて、その合わせした部分の外形を基準に各部（含む隙間量α、段差β）を測定して、どの地点で違いがあるのかを見つけて、ドア開口部１２がどのような精度にあるのかの傾向を細部に渡り検査する。
【００３１】
このとき本体２０ａの姿勢の変更は、疑似ヒンジ部品２８の回動軸２７回りの変位により、地点Ｘへ加わる曲げ方向の力を逃がしながら行われる。これは、２つの地点Ｘ，Ｙを基準に検査するときについても同じである。
【００３２】
これにより、測定情報の誤りや誤解をきたす要因となっていた、ヒンジ部品４が組付く位置Ｘが傾くという挙動の発生は避けられる。つまり、本体２０ａの姿勢は変っても、基準位置は変動せずにすむ。
【００３３】
したがって、いずれの検査の仕方でも、高い精度で精度不良の良否の判断が行える。しかも、測定した情報から、容易に精度不良の発生要因の箇所が見つけられ、正しく直す処置が施せる。
【００３４】
なお、本発明は上述した一実施形態に限定されることなく、本発明の主旨を逸脱しない範囲内で種々変更して実施しても構わない。例えば一実施形態では、治具２０の本体２０ａとして、片側の２つのコーナー部と、もう片側のコーナー部を含む辺部に、ヒューエルフィラドアの外周形状と同じ部分２２ａ〜２２ｃを形成した枠形の例を挙げたが、これに限らず、枠形の外周全体に形成してもよく、ヒューエルフィラドアの外周形状と同じ部分は、少なくとも４隅のコーナー部だけに形成されてさえいればよい。
【００３５】
【発明の効果】
以上説明したように請求項１に記載の発明によれば、可動式の第１取付座の採用により、ドア開口部にセットされる検具本体の姿勢を変えても、ヒューエルフィラネックブラケットの基準位置は変らずにすむようになり、高い精度でドア開口部の測定を行うことができる。
【００３６】
したがって、検査治具を用いて測定した情報から、高い精度で精度不良の良否を判断できる。しかも、容易に精度不良の発生要因の箇所を見つけることができる。
【図面の簡単な説明】
【図１】本発明の一実施形態に係るヒューエルフィラドア開口部用検査治具の全体構造を、同治具が装着されるヒューエルフィラネックブラケットのドア開口部と共に示す斜視図。
【図２】図１中のＡ−Ａ線に沿う治具の断面図。
【図３】同治具がヒューエルフィラネックブラケットのドア開口部にセットされた状態を示す斜視図。
【図４】図１中のＢ−Ｂ線に沿う治具の断面図。
【図５】図１中のＣ−Ｃ線に沿う治具の断面図。
【図６】治具を用いて外形基準で、ドア開口部の精度を検査するときの状態を示す断面図。
【図７】サイドパネルに形成されたヒューエルフィラネックブラケットを、同ブラケットに装着されるヒューエルフィラドアと共に示す斜視図。
【符号の説明】
４…ヒューエルフィラドア
４ａ…ヒンジ部品
１１…ヒューエルフィラネックブラケット
１２…ドア開口部
１６…ヒンジ用固定部（第１固定部）
１８…オープナー用固定部（第２固定部）
２０…ヒューエルフィラドア開口部用検査治具
２０ａ…本体（検具本体）
２４…オープナー用据付座（第２取付座）
２７…回転軸
２８…疑似ヒンジ部品（第１取付座）。
【図１】
0003918426.tif 000002
【図２】
0003918426.tif 000003
【図３】
0003918426.tif 000004
【図４】
0003918426.tif 000005
【図５】
0003918426.tif 000006
【図６】
0003918426.tif 000007
【図７】
0003918426.tif 000008